【手続補正書】
【提出日】令和2年10月15日(2020.10.15)
【手続補正１】
【補正対象書類名】明細書
【補正対象項目名】０１７９
【補正方法】変更
【補正の内容】
【０１７９】
なお、変形例として、フロントディレイラ３００および／またはリアディレイラ４００が機械式のものであってもよい。
なお、本発明は、実施の態様として以下の内容を含む。
〔態様１〕
自転車（１０００）用の検出器（１０）であって、
生成磁場を生成する磁石（１２）と、
磁場センサ（１４）と、を備え、
前記磁石（１２）と前記センサ（１４）相互の位置が固定されて、前記センサ（１４）
が前記生成磁場内に配置されており、
非反磁性の可動部品（１００，１０３８）の所期の経路（１３０）の一定の経路長（１
４０）が前記生成磁場内に配置されており
前記経路長（１４０）内に前記可動部品（１００，１０３８）の少なくとも１つの実体的部位（１５０，１５２，１５４）が存在している場合に、前記センサ（１４）が前記可動部品（１００，１０３８）の前記実体的部位（１５０，１５２，１５４）によって乱された前記磁場を検出することを特徴とする、
自転車（１０００）用の検出器（１０）。
〔態様２〕
態様１に記載の自転車用の検出器（１０）において、
該検出器（１０）は、前記センサ（１４）の出力信号が第１の定数値を有するときには前記可動部品（１００，１０３８）が前記経路長（１４０）内に存在していないと判定し、
前記センサ（１４）の前記出力信号が前記第１の定数値と異なる数値を有するときには前記可動部品（１００，１０３８）が前記経路長（１４０）内に存在していると判定するように構成された電子部品を備えているか、又は該電子部品に接続されている、自転車用の検出器（１０）。
〔態様３〕
態様１または２に記載の自転車用の検出器（１０）において、前記可動部品が不均一な磁気パーミアンスを有しており、前記経路長（１４０）が、前記可動部品（１００，１０３８）で繰り返される最小長構造（１６０）の長さ、及びその倍数とは異なる長さ（好ましくは、前記長さよりも短い長さ、又は前記長さの倍数よりも短い長さ）を有する、自転車用の検出器（１０）。
〔態様４〕
態様１から３のいずれか一態様に記載の自転車用の検出器（１０）において、
該検出器（１０）は、前記センサ（１４）の前記出力信号が経時的に変化するときには前記可動部品（１００，１０３８）が動いていると判定し、
前記センサ（１４）の前記出力信号が前記第１の定数値と異なる第２の定数値を有するときには前記可動部品（１００，１０３８）が静止していると判定するように構成された電子部品を備えているか、又は該電子部品に接続されている、自転車用の検出器（１０）。
〔態様５〕
態様１から４のいずれか一態様に記載の自転車用の検出器（１０）において、該検出器（１０）は、観測時間窓のあいだの前記センサ（１４）の出力信号の繰返し周期から前記可動部品（１００，１０３８）の運動速度又は運動速度の近似値を推定するように構成された電子部品を備えているか、又は該電子部品に接続されている、自転車用の検出器（１０）。
〔態様６〕
態様１から５のいずれか一態様に記載の自転車用の検出器（１０）において、該検出器（１０）は、前記センサ（１４）の前記出力信号の所定の長さ内における特徴的構造（好ましくは極大値又は極小値）の位置、かつ／または、観測時間窓のあいだの該特徴的構造の変位から、前記可動部品（１００，１０３８）のストロークを推定するように構成された電子部品を備えているか、又は該電子部品に接続されている、自転車用の検出器（１０）。
〔態様７〕
態様１から６のいずれか一態様に記載の自転車用の検出器（１０）において、前記経路長（１４０）が、前記磁石（１２）と前記センサ（１４）との間の空間を通過する、自転車用の検出器（１０）。
〔態様８〕
態様１から７のいずれか一態様に記載の自転車用の検出器（１０）において、さらに、
第２の生成磁場を生成する少なくとも１つの第２の磁石（１２Ａ）と、
少なくとも１つの第２の磁場センサ（１４Ａ）と、
を備え、前記第２の磁石（１２Ａ）と前記第２のセンサ（１４Ａ）相互の位置が固定されており、前記第２のセンサ（１４Ａ）が前記第２の生成磁場内に配置されており、
第２の所定のギア比での、前記自転車（１０００）の伝動チェーン（１００）用に設計された第２の閉ループ経路（１３０Ａ）の第２の経路長（１４０Ａ）が、前記第２の生成磁場内に配置されており、前記第２の経路長（１４０Ａ）内に少なくとも１つの実際のチェーン部位が存在した場合に、前記第２のセンサ（１４Ａ）が前記実際のチェーン部位によって乱された前記磁場を検出する、自転車用の検出器（１０）。
〔態様９〕
自転車装備品（３００，４００，１０１４，１０１６，１０４０）であって、
非反磁性の構成部品（１００，１０３８）と、
前記構成部品（１００，１０３８）の存在／運動を検出する検出器であって、生成磁場を生成する磁石（１２）および磁場センサ（１４）を含み、前記磁石（１２）と前記センサ（１４）との相互位置が固定されており、前記センサ（１４）が前記生成磁場内に配置されている、検出器と、
を備え、前記構成部品（１００，１０３８）が、前記生成磁場内を運動可能であるように設計されている、自転車装備品（３００，４００，１０１４，１０１６，１０４０）。
〔態様１０〕
態様９に記載の自転車装備品（３００，４００，１０１４，１０１６，１０４０）において、該自転車装備品がディレイラであり、前記非反磁性の構成部品（１００，１０３８）が伝動チェーン（１００）である、自転車装備品（３００，４００，１０１４，１０１６，１０４０）。
〔態様１１〕
態様９に記載の自転車装備品（３００，４００，１０１４，１０１６，１０４０）において、該自転車装備品が制動システム（１０４０）であり、前記非反磁性の構成部品（１０３８）がブレーキケーブル（１０３８）又はブレーキキャリパーである、自転車装備品（３００，４００，１０１４，１０１６，１０４０）。
〔態様１２〕
自転車のディレイラ（３００，４００，１０１４，１０１６）であって、
自転車のフレーム（１０００）に該自転車（１０００）の同軸歯車（１００２，１００４）のアセンブリの箇所で取り付けられるように構成された支持体（３０２，４０２）と、
チェーンガイド（３０４，４０６）を含む可動体（３０４，４０４）と、
前記可動体（３０４，４０４）を前記支持体（３０２）に対して動かすように構成された作動手段（３０８，４０８）と、
を備える、自転車のディレイラ（３００，４００，１０１４，１０１６）において、さらに、
態様１〜８のいずれか一態様に記載の検出器（１０）、
を備え、前記磁石（１２）および前記センサ（１４）が、前記チェーンガイド（３０６，４０６）に固定されていることを特徴とする、自転車のディレイラ（３００，４００，１０１４，１０１６）。
〔態様１３〕
態様１２に記載の自転車のディレイラ（３００，４００，１０１４，１０１６）において、該ディレイラ（３００，１０１４）がフロントディレイラ（３００，１０１４）である、自転車のディレイラ（３００，４００，１０１４，１０１６）。
〔態様１４〕
態様１２に記載の自転車のディレイラ（３００，４００，１０１４，１０１６）において、該ディレイラ（４００，１０１６）がリアディレイラ（４００，１０１６）であり、前記チェーンガイド（４０６）が２つのプーリ担持プレート（４１４，４１６）を有しており、前記磁石（１２）および前記センサ（１４）が、前記プーリ担持プレート（４１４，４１６）において対応する位置で固定されている、自転車のディレイラ（３００，４００，１０１４，１０１６）。
〔態様１５〕
態様１４に記載の自転車のディレイラ（３００，４００，１０１４，１０１６）において、前記磁石（１２）および前記センサ（１４）が、前記プーリ担持プレート（４１４，４１６）においてプーリ（４２８，４３０）の、より好ましくは前記チェーンテンショナー（４０６）の前記上側プーリ（４２８）の歯部（４２６）の箇所で固定されている、自転車のディレイラ（３００，４００，１０１４，１０１６）。